(57)【要約】【課題】  接着を不要にして角筒を安定して組立てられる組み立て性を備え、箱状に組立てて被包装物を収容し閉蓋してプラスチックシート製ケースを組立てることができる、把手付き折り曲げ罫線入りプラスチックシート。【解決手段】  把手付きプラスチックシートＳ１は、折り曲げ罫線１ａ〜１ｄにより区画される筒壁部２ａ〜２ｅを１列に備え、筒壁部２ａ、２ｂ、２ｄの両側にそれぞれ折り曲げ罫線１ｅ〜１ｇにより区画される蓋片３ａ，３ａ、仕舞い込み片４ａ，４ａ、４ｂ，４ｂを備え、さらに蓋片３ａ，３ａの端縁に第２の仕舞い込み片４ｃ，４ｃを備えかつ該第２の仕舞い込み片４ｃの両側基部には脱出防止用段部４ｃ’，４ｃ’を備えている。筒壁部２ａに把持部挿通スリット５ａを開設し、筒壁部２ｅに把持部５ｂを備え、筒壁部２ａに備えた第１の仕舞い込み片８ａに対応して第１の仕舞い込み片挿通スリット８ｂを備えた。【選択図】  図１
2007015746.tif 000002
【特許請求の範囲】
【請求項１】
両側の１面同士又は２面同士が重なり該重なる部分の一面が上面部となるＮ角形（Ｎは偶数）の筒心が横軸である角筒を形成するためＮ＋１又はＮ＋２の筒壁部を一列に並べかつ外面側に刻設した折り曲げ罫線により区画し、前記上面部として外側に重なる筒壁部側の列方向の端縁に脱出防止手段を有する第１の閉じ込み片を備えるとともに、前記上面部として内側に重なる筒壁部側の所要位置の折り曲げ罫線に一致して開設し前記第１の閉じ込み片を通して係合する第１の閉じ込み片挿通スリットを備え、
内側に重なる上面部である前記筒壁部の中央部に把持部挿通スリットを備えるとともに、外側に重なる上面部である前記筒壁部に内面側に刻設した折り曲げ罫線より外側へ折り曲げて引き起こし前記把持部挿通スリットに通す把持部を備え、
外側に重なる上面部である筒壁部の両側縁又は底面部となる筒壁部の両側縁に前記Ｎ角形の角筒の両端開口を閉じる蓋片を外面側に刻設した折り曲げ罫線により区画して備え、
前記Ｎ＋１又はＮ＋２の筒壁部で角筒を形成して角筒開口を前記蓋片で閉じる際に、前記筒壁部の端縁と前記蓋片の端縁とが開いてしまう隙間を閉塞する仕舞い込み片を、該隙間を閉塞する必要がある箇所の前記筒壁部の端縁と前記蓋片の端縁のいずれかに備え、
さらに、前記蓋片の張出方向の端縁に脱出防止手段を有する第２の閉じ込み片を備えるとともに、前記蓋片の張出方向の端縁と合わさる前記上面部に設けた所要位置の折り曲げ罫線に一致して開設し前記第２の閉じ込み片を通して係合する第２の閉じ込み片挿通スリットを備えたことを特徴とする把手付きプラスチックケース用折り曲げ罫線入りプラスチックシート。
【請求項２】
請求項１に記載の把手付きプラスチックケース用折り曲げ罫線入りプラスチックシートの一列状の筒壁部を折り曲げ罫線より折り曲げるとともに、前記把持部を把持部挿通スリットに通しかつ前記第１の閉じ込み片を前記第１の閉じ込み片挿通スリットに通して、筒心が横軸であるＮ角形（Ｎは偶数）の角筒を形成し、角筒内に被包装物を収容し、前記仕舞い込み片を折り曲げてから前記両側の蓋片で角筒の両端開口を閉じかつ各蓋片に延設した第２の閉じ込み片を第２の閉じ込み片挿通スリットに差込んでなることを特徴とする把手付きプラスチックケースの包装体。
【発明の詳細な説明】
【技術分野】
【０００１】
本発明は、例えば、化粧品、プラモデル、ブラシ、雑貨品、人形、家電商品、高級洋菓子、その他各種の製品等の被包装物を包装するための、把手付きプラスチックケース用折り曲げ罫線入りプラスチックシート及び被包装物を収容した把手付きプラスチックケースの包装体に関する。
【背景技術】
【０００２】
従来、予め穿設された罫線の折り曲げ加工によってプラスチック製ケースを形成することが可能な折り曲げ罫線入りプラスチックシートは、例えば、折り曲げ罫線により区画されるのりしろ部と左側面部と前面部と右側面部と後面部とを、各折り曲げ罫線より直角に折り曲げて、のりしろ部と後面部と接着剤により接着する、いわゆる背貼りシールがある（特許文献１、２、３参照）。
また従来、展示時吊下げ型のプラスチックシート製ケースは、後面が上面よりも立ち上がっていてその上端に吊下げ孔が開いている形態である（特許文献３参照）。
【特許文献１】特開平１１−１３００５７号公報
【特許文献２】特開２００１−２３３３２５号公報
【特許文献３】特開２００４−６７１１９号公報
【発明の開示】
【発明が解決しようとする課題】
【０００３】
特許文献１、２、３に示す接着剤により背貼りシールするタイプのプラスチックシート製ケースは、接着剤により背貼りシールをするのに時間を要するとともに、のりが垂れる、のりで汚れるなどの問題がある。
他方、上面中央に把手部があるトランクタイプの斬新なデザインを備えたプラスチックシート製ケースの提供が望まれている。
【０００４】
本発明の目的は、背貼り接着の必要が無く、折り曲げ罫線より折り曲げて組み立てることで、上面に把手が着いたトランクタイプの斬新なデザインを持つプラスチックケースを提供するための、把手付きプラスチックケース用折り曲げ罫線入りプラスチックシート及び把手付きプラスチックケースの包装体を提供することにある。
【課題を解決するための手段】
【０００５】
上記目的を解決するために、本発明の把手付きプラスチックケース用折り曲げ罫線入りプラスチックシートは、
両側の１面同士又は２面同士が重なり該重なる部分の一面が上面部となるＮ角形（Ｎは偶数）の筒心が横軸である角筒を形成するためＮ＋１又はＮ＋２の筒壁部を一列に並べかつ外面側に刻設した折り曲げ罫線により区画し、前記上面部として外側に重なる筒壁部側の列方向の端縁に脱出防止手段を有する第１の閉じ込み片を備えるとともに、前記上面部として内側に重なる筒壁部側の所要位置の折り曲げ罫線に一致して開設し前記第１の閉じ込み片を通して係合する第１の閉じ込み片挿通スリットを備え、内側に重なる上面部である前記筒壁部の中央部に把持部挿通スリットを備えるとともに、外側に重なる上面部である前記筒壁部に内面側に刻設した折り曲げ罫線より外側へ折り曲げて引き起こし前記把持部挿通スリットに通す把持部を備え、外側に重なる上面部である筒壁部の両側縁又は底面部となる筒壁部の両側縁に前記Ｎ角形の角筒の両端開口を閉じる蓋片を外面側に刻設した折り曲げ罫線により区画して備え、前記Ｎ＋１又はＮ＋２の筒壁部で角筒を形成して角筒開口を前記蓋片で閉じる際に、前記筒壁部の端縁と前記蓋片の端縁とが開いてしまう隙間を閉塞する仕舞い込み片を、該隙間を閉塞する必要がある箇所の前記筒壁部の端縁と前記蓋片の端縁のいずれかに備え、さらに、前記蓋片の張出方向の端縁に脱出防止手段を有する第２の閉じ込み片を備えるとともに、前記蓋片の張出方向の端縁と合わさる前記上面部に設けた所要位置の折り曲げ罫線に一致して開設し前記第２の閉じ込み片を通して係合する第２の閉じ込み片挿通スリットを備えたことを特徴とする。
【０００６】
また本発明の把手付きプラスチックケースは、
前記把手付きプラスチックケース用折り曲げ罫線入りプラスチックシートの一列状の筒壁部を折り曲げ罫線より折り曲げるとともに、前記把持部を把持部挿通スリットに通しかつ前記第１の閉じ込み片を前記第１の閉じ込み片挿通スリットに通して、筒心が横軸であるＮ角形（Ｎは偶数）の角筒を形成し、角筒内に被包装物を収容し、前記仕舞い込み片を折り曲げてから前記両側の蓋片で角筒の両端開口を閉じかつ各蓋片に延設した第２の閉じ込み片を第２の閉じ込み片挿通スリットに差込んでなることを特徴とする。
【発明の効果】
【０００７】
本発明によれば、背貼り接着の必要が無く、折り曲げ罫線より折り曲げて組み立てることで、上面に把手が着いたトランクタイプの斬新なデザインを持つプラスチックケースを提供でき、上面に把手が商品陳列時には吊下げフック機能を有する。
本発明によれば、抜き加工のみで製造可能なので抜き型を用意すれば従来設備を使用でき、製造コストを安く抑えられ、シートの状態で保管・輸送でき嵩張らないので利便性が高い。
本発明によれば、上面部が二重に嵩なり第１の閉じ込み片を第１の閉じ込み片挿通スリットに差込み確実に係合できるので歪みが少なく安定した角筒を組立てることができて組立性が良く、又、蓋片と角筒端縁とが開いてしまう隙間を仕舞い込み片が閉塞し、ケース内に収納した被包装物がケース外にはみ出すことがなく、又、蓋片が容易に開かずかつ蓋片と角筒端縁とを開いて隙間を作って被包装物に触れようとしても隙間を仕舞い込み片が閉塞しているので、被包装物に触れることを回避できる、全体的に歪みが少ない高級感のある把手付きのプラスチックケースを提供できる。
【発明を実施するための最良の形態】
【０００８】
以下に、本発明の把手付き折り曲げ罫線入りプラスチックシート及び把手付きプラスチックケースの包装体の実施形態を図面を用いて説明する。
［実施形態１］
本発明の実施形態１に係る把手付き折り曲げ罫線入りプラスチックシート及びプラスチックケースを図１（ａ），（ｂ）及び図２を参照して説明する。
本実施形態の折り曲げ罫線入りプラスチックシートは図１（ａ）に示す形状である。該プラスチックシートＳ１は、プレスで打ち抜き形成される図１（ｂ）に示すシートの輪郭形状Ｓ１’に、前記打ち抜き形成と同時に図１（ａ）中に示す折り曲げ罫線１ａ〜１ｋを付与して構成される。
本実施形態の折り曲げ罫線入りプラスチックシートは、Ａ−ＰＥＴ、ＰＰ等からなり、厚さは例えば０．１ｍｍから１．０ｍｍ、好ましくは０．２ｍｍから０．５ｍｍの範囲で選択され、着色され又はデザインが印刷されていても良いが、透明又は半透明であることが好ましい。
図２に示すプラスチックケースＫ１は、図１（ａ）に示す把手付きプラスチックシートＳ１を折り曲げ罫線１ａ〜１ｋより折り曲げて組み立てることができる。
図１（ａ）において、折り曲げ罫線１ａ〜１ｊはシート外面側（シート下面側）に刻設されており、折り曲げ罫線１ｋはシート内面側（シート上面側）に刻設されている。折り曲げ罫線１ａ〜１ｋは、折り曲げが歪みが発生せずに無理なく行える特殊罫線であることが好ましい。特殊罫線とは、例えば、特開２００３−１６５１６５号公報に記載された特殊罫線が好ましいが、実公平４−９３４５号公報、特開昭６３−４０３１７号公報、特開平１−１４１７２０号公報、特開２００１−６２９０９号公報に記載された特殊罫線等であっても良い。
【０００９】
図１（ａ）に示す把手付きプラスチックシートＳ１は、折り曲げ罫線１ａ，１ｂ，１ｃ，１ｄにより区画される筒壁部２ａ，２ｂ，２ｃ，２ｄ，２ｅを１列に備え、筒壁部２ｃの両側に折り曲げ罫線１ｅにより区画される蓋片３ａ，３ａを備え、さらに蓋片３ａ，３ｂの両側に折り曲げ罫線１ｇ，１ｇ、１ｈ，１ｈにより区画される仕舞い込み片４ａ，４ａ、４ｂ，４ｂを備え、また筒壁部２ａの両側に折り曲げ罫線１ｆにより区画される仕舞い込み片４ｃ，４ｃを備えている。
さらに、把手付きプラスチックシートＳ１は、筒壁部２ａの端縁に折り曲げ罫線１ｊにより区画される第１の綴じ込み片８ａを備えかつ第１の綴じ込み片８ａの両側基部には脱出防止用段部８ａ’，８ａ’を備え、この第１の綴じ込み片８ａに対応して、前記折り曲げ罫線１ｄの中程に一致して第１の綴じ込み片挿通スリット８ｂを備え、又、蓋片３ａ，３ａの張出方向の端縁に折り曲げ罫線１ｉにより区画される第２の綴じ込み片８ｃ，８ｄを備えかつ第２の綴じ込み片８ｃの両側基部には脱出防止用段部８ｃ’，８ｃ’を備え、この第２の綴じ込み片８ｃ，８ｄに対応して、前記折り曲げ罫線１ｆ、１ｆの中程に一致して第２の綴じ込み片挿通スリット８ｄを備えている。
筒壁部２ａ，２ｂ，２ｃ，２ｄ，２ｅが５面有るのは、両側の１面同士が重なって４角筒を形成するためであり、図２に示す把手付きプラスチックケースの包装体Ｋ１を形成する際は、プラスチックシートＳ１を折り曲げ罫線１ａ，１ｂ，１ｃ，１ｄより折り曲げて、筒壁部２ａを外側に重なる上面部とするとともに筒壁部２ｅを内側に重なる上面部とする。
さらに、図１（ａ）に示す把手付きプラスチックシートＳ１は、筒壁部２ａの中央に該筒壁部２ａの縦辺の例えば１/２乃至２/３の長さの把持部挿通スリット５ａを開設され、該把持部挿通スリット５ａに対応して、筒壁部２ｅに両側のスリット６ａ，６ａと矩形孔７ａと折り曲げ罫線１ｋ，１ｋとで区画形成され前記把持部挿通スリット５ａに通す把持部５ｂを備えかつ該把持部５ｂの両側基部には脱出防止用段部５ｂ’，５ｂ’を備えており、図２に示す把手付きプラスチックケースの包装体Ｋ１を形成する際は、把持部挿通スリット５ａに把持部５ｂを通すと、脱出防止用段部５ｂ’，５ｂ’が把持部通しスリット５ａの両端に係合するので把持部５ｂが把持部通しスリット５ａから抜け出ない。
【００１０】
次に、図２に示す把手付きプラスチックケースの包装体Ｋ１を形成する組立て手順を説明する。
まず、図１（ａ）に示す把手付きプラスチックシートＳ１の折り曲げ罫線１ａ，１ｂ，１ｃ，１ｄに関しそれぞれ内側に直角に折り曲げて、筒壁部２ａを外側に重なる上面部とするとともに筒壁部２ｅを内側に重なる上面部として筒芯が横軸である角筒とする。
次に、折り曲げ罫線１ｋ，１ｋに関し外側に直角に折り曲げて引き起こす把持部５ｂを把持部挿通スリット５ａに通してから、第１の仕舞い込み片挿通スリット８ｂに第１の綴じ込み片８ａを通す。すると、脱出防止用段部８ａ’，８ａ’が第１の綴じ込み片挿通スリット８ｂの両端に係合するので第１の綴じ込み片８ａが第１の綴じ込み片挿通スリット８ｂから抜け出ないから、筒壁部２ａ，２ｂ，２ｃ，２ｄ，２ｅは、筒壁部２ａと筒壁部２ｅが上面部となって重なりしっかりとした角筒を形成する。
次に、筒壁部２ａ，２ｂ，２ｃ，２ｄ，２ｅで形成された角筒の一方の開口に同側の仕舞い込み片４ｃを折り曲げ罫線１ｆに関し直角に折り下げてから、同側の蓋片３ａの両側の仕舞い込み片４ａ，４ａを折り曲げ罫線１ｇ，１ｇに関し内側に直角に折り曲げて仕舞い込み片４ａ，４ａを角筒開口部の両側に差し込みつつ同一方の蓋片３ａを折り曲げ罫線１ｅに関し内側に直角に折り曲げて（折り上げて）角筒開口を閉じ、さらに第２の仕舞い込み片８ｃを折り曲げ罫線１ｉに関し内側に直角に折り曲げて第２の綴じ込み片挿通スリット８ｄに差し込むと、この第２の綴じ込み片８ｃは抜け出ない。第２の綴じ込み片挿通スリット８ｄに差し込む第２の仕舞い込み片８ｃは、筒壁部２ａ，２ｅの下側に位置するので筒壁部２ａ，２ｅの重なりを確保できる。
次に、他方の角筒開口より被包装物（例えば、化粧品、プラモデル、ブラシ、雑貨品、人形、家電商品、高級洋菓子、その他各種の製品等）を収容し、該他方の蓋片３ｂ及び第２の仕舞い込み片４ｂ，４ｂ，４ｃについても、前記一方の蓋片３ａ及び第２の仕舞い込み片４ａ，４ａ，４ｃと同様に折り曲げて角筒開口を閉じ、第２の綴じ込み片８ｃを第２の綴じ込み片挿通スリット８ｄに差込むと、第２の綴じ込み片８ｃにより筒壁部２ａ，２ｅの重なりを確保できる。
以上により、図２に示す把手付きプラスチックケースの包装体Ｋ１が出来上がる。
【００１１】
［実施形態２］
本発明の実施形態２に係る把手付き折り曲げ罫線入りプラスチックシート及びプラスチックケースを図３（ａ），（ｂ）及び図４を参照して説明する。なお、前記実施形態１とそれぞれ同一な部分については同一符号を付して説明を省き、相違点を中心に構成・作用・効果を説明する。
本実施形態の折り曲げ罫線入りプラスチックシートは図３（ａ）に示す形状である。該プラスチックシートＳ２は、プレスで打ち抜き形成される図３（ｂ）に示すシートの輪郭形状Ｓ２’に、前記打ち抜き形成と同時に図２（ａ）中に示す折り曲げ罫線１ａ〜１ｋを付与して構成される。
図４に示すプラスチックケースＫ２は、図３（ａ）に示す把手付きプラスチックシートＳ２を折り曲げ罫線１ａ〜１ｋより折り曲げて組み立てることができる。
図３（ａ）において、折り曲げ罫線１ａ〜１ｊはシート外面側（シート下面側）に刻設されており、折り曲げ罫線１ｋはシート内面側（シート上面側）に刻設されている。
【００１２】
図３（ａ）に示す把手付きプラスチックシートＳ２は、折り曲げ罫線１ａ，１ｂ，１ｃ，１ｄにより区画される筒壁部２ａ，２ｂ，２ｃ，２ｄ，２ｅを１列に備え、筒壁部２ａ，２ｂ，２ｃ，２ｄの各両側に折り曲げ罫線１ｅ，１ｆ，１ｇ，１ｈにより区画される蓋片３ａ，３ｂと仕舞い込み片４ａ，４ａ、４ｂ，４ｂ、４ｃ，４ｃを備えている。
さらに、把手付きプラスチックシートＳ２は、筒壁部２ａの端縁に折り曲げ罫線１ｊにより区画される第１の綴じ込み片８ａを備えかつ第１の綴じ込み片８ａの両側基部には脱出防止用段部８ａ’，８ａ’を備え、この第１の綴じ込み片８ａに対応して、前記折り曲げ罫線１ｄの中程に一致して第１の綴じ込み片挿通スリット８ｂを備え、又、蓋片３ａ，３ｂの張出方向の端縁に折り曲げ罫線１ｉにより区画される第２の綴じ込み片８ｃ，８ｄを備えかつ第２の綴じ込み片８ｃの両側基部には脱出防止用段部８ｃ’，８ｃ’を備え、この第２の綴じ込み片８ｃ，８ｄに対応して、前記折り曲げ罫線１ｆ、１ｆの中程に一致して第２の綴じ込み片挿通スリット８ｄを備えている。
把持部挿通スリット５ａと把持部５ｂを備えていることは、実施形態１と同じである。
実施形態１との相違は、蓋片３ａ，３ｂを筒壁部２ｃから筒壁部２ａへ設ける位置を変え、かつ、蓋片３ａ，３ｂの両側の仕舞い込み片を無くして、仕舞い込み片を筒壁部２ｂ，２ｃ，２ｄへ設けたことである。この相違によって、蓋片３ａ，３ｂは、実施形態１では折り上げて閉蓋するのに対して、実施形態２では折り下げて閉蓋する。
この実施形態２では、把持部５ｂの両側基部に脱出防止用段部５ｂ’，５ｂ’を備えており、図２に示す把手付きプラスチックケースの包装体Ｋ２を形成する際は、把持部挿通スリット５ａに把持部５ｂを通すと、脱出防止用段部５ｂ’，５ｂ’が把持部通しスリット５ａの両端に係合するので把持部５ｂが把持部通しスリット５ａから抜け出ない。
【００１３】
［実施形態３］
本発明の実施形態３に係る把手付き折り曲げ罫線入りプラスチックシート及びプラスチックケースを図５（ａ），（ｂ）及び図６を参照して説明する。なお、前記実施形態１と同一な部分については説明を省き、相違点を中心に構成・作用・効果を説明する。
【００１４】
本実施形態の折り曲げ罫線入りプラスチックシートは図５（ａ）に示す形状である。該プラスチックシートＳ３は、プレスで打ち抜き形成される図５（ｂ）に示すシートの輪郭形状Ｓ３’に、前記打ち抜き形成と同時に図５（ａ）中に示す折り曲げ罫線１１ａ〜１１ｐを付与して構成される。
図５（ａ）に示す把手付きプラスチックシートＳ３を折り曲げ罫線１１ａ〜１１ｐより折り曲げて、図１２に示すプラスチックケースＫ３を形成することができる。
図５（ａ）において、折り曲げ罫線１１ａ〜１１ｎはシート外面側（シート下面側）に刻設されており、折り曲げ罫線１１ｐはシート内面側（シート上面側）に刻設されている。折り曲げ罫線１１ａ〜１１ｐは、折り曲げが歪みが発生せずに無理なく行える特殊罫線であることが好ましい。
図５（ａ）に示す把手付きプラスチックシートＳ３は、折り曲げ罫線１１ａ，１１ｂ，１１ｃ，１１ｄ，１１e，１１ｆにより区画される筒壁部１２ａ，１２ｂ，１２ｃ，１２ｄ，１２ｅ，１２ｆ，１２ｇを１列に備え、４つの筒壁部１２ａ，１２ｃ，１２ｄ，１２ｅの両側にそれぞれ折り曲げ罫線１１ｇ，１１ｈ，１１ｉ，１１ｊによりそれぞれ区画される仕舞い込み片１４ａ，１４ａ、仕舞い込み片１４ｂ，１４ｂ、六角形の蓋片１３ａ，１３ｂ、仕舞い込み片１４ｃ，１４ｃを備え、さらに蓋片１３ａ，１３ａの２つの端縁に折り曲げ罫線１１ｋ，１１ｍにより区画される仕舞い込み片１４ｄ，１４ｅを備えかつ該第２の仕舞い込み片１４ｄ，１４ｅの両側基部には脱出防止用段部１４ｄ’，１４ｄ’、１４ｅ’，１４ｅ’を備えている。
筒壁部１２ａ，１２ｂ，１２ｃ，１２ｄ，１２ｅ，１２ｆ，１２ｇの７面が有るが、両側の１面同士が重なって６角筒を形成する。図６に示す把手付きプラスチックケースの包装体Ｋ３を形成する際は、プラスチックシートＳ３を折り曲げ罫線１１ａ，１１ｂ，１１ｃ，１１ｄ，１１ｅ，１１ｆより折り曲げて、筒壁部１２ａを外側に重なる上面部とするとともに筒壁部１２ｅを内側に重なる上面部とする。
さらに、図５（ａ）に示す把手付きプラスチックシートＳ３は、筒壁部１２ａの中央に該筒壁部１２ａの縦辺の例えば２/３前後の長さの把持部挿通スリット１５ａを開設され、該把持部挿通スリット１５ａに対応して筒壁部１２ｇに、両側のスリット１６ａ，１６ａと矩形孔１７ａと折り曲げ罫線１１ｐ，１１ｐとで区画形成され前記把持部挿通スリット１５ａに通す把持部１５ｂを備えかつ該把持部１５ｂの両側基部には脱出防止用段部１５ｂ’，１５ｂ’を備えており、図６に示す把手付きプラスチックケースの包装体Ｋ３を形成する際は、把持部挿通スリット１５ａに把持部１５ｂを通すと、脱出防止用段部１５ｂ’，１５ｂ’が把持部通しスリット１５ａの両端に係合するので把持部１５ｂが把持部通しスリット１５ａから抜け出ない。
図５（ａ）に示す把手付きプラスチックシートＳ３は、筒壁部１２ａの端縁にそれぞれ折り曲げ罫線１８ａにより区画される３つの第１の綴じ込み片１８ａを備えかつ該第１の綴じ込み片１８ａの両側基部には脱出防止用段部１８ａ’，１８ａ’を備えており、該３つの第１の綴じ込み片１８ａに対応して折り曲げ罫線１１ｆを分断する３位置に前記第１の綴じ込み片１８ａを通す第１の綴じ込み片挿通スリット１８ｂを備え、図６に示す把手付きプラスチックケースの包装体Ｋ３を形成する際は、第１の綴じ込み片挿通スリット１８ｂに第１の綴じ込み片１８ａを通すと、脱出防止用段部１８ａ’，１８ａ’が第１の綴じ込み片挿通スリット１８ｂの両端に係合するので第１の綴じ込み片１８ａが第１の綴じ込み片挿通スリット１８ｂから抜け出ない。
又、蓋片１３ａ，１３ｂの張出方向の端縁に折り曲げ罫線１１ｉにより区画される第２の綴じ込み片１８ｃ，１８ｄを備えかつ第２の綴じ込み片８ｃの両側基部には脱出防止用段部１８ｃ’，１８ｃ’、１８ｄ’，１８ｄ’を備え、この第２の綴じ込み片８ｃ，８ｄに対応して、前記折り曲げ罫線１ｇ、１ｇの中程に一致して第２の綴じ込み片挿通スリット１８ｅ，１８ｅを備えている。
【００１５】
次に、図６に示す把手付きプラスチックケースの包装体Ｋ３を形成する組立て手順を説明する。
まず、図５（ａ）に示す把手付きプラスチックシートＳ３の折り曲げ罫線１１ａ，１１ｂ，１１ｃ，１１ｄ，１１ｅ，１１ｆに関しそれぞれ内側に１２０度の角度となるように折り曲げて、筒壁部１２ａを外側に重なる上面部とするとともに筒壁部１２ｇを内側に重なる上面部として筒芯が横軸である六角筒とする。
次に、折り曲げ罫線１１ｐ，１１ｐに関し外側に直角に折り曲げて引き起こす把持部１５ｂを把持部挿通スリット１５ａに通してから、第１の綴じ込み片挿通スリット１８ｂに第１の綴じ込み片１８ａを通す。すると、脱出防止用段部１８ａ’，１８ａ’が第１の仕舞い込み片挿通スリット１８ｂの両端に係合するので第１の綴じ込み片１８ａが第１の綴じ込み片挿通スリット１８ｂから抜け出ないから、把持部１５ｂが角筒内方へ落ち込まず筒壁部１２ａと筒壁部１２ｇの重なりが良好に維持されて筒壁部１２ａ，１２ｂ，１２ｃ，１２ｄ，１２ｅ，１２ｆ，１２ｇは、しっかりとした角筒を形成し、上面となる、。
又、把持部１５ｂの両側基部に脱出防止用段部１５ｂ’，１５ｂ’が有り、この脱出防止用段部１５ｂ’，１５ｂ’が把持部通しスリット１５ａの両端に係合するので把持部１５ｂが把持部通しスリット１５ａから抜け出ない。
次に、筒壁部１２ａ，１２ｂ，１２ｃ，１２ｄ，１２ｅ，１２ｆ，１２ｇで形成された六角筒の一方の開口側の仕舞い込み片１４ａ，１４ｂ，１４ｃを折り曲げ罫線１１ｇ，１１ｈ，１１ｊに関し内側に直角に折り曲げて仕舞い込み片１４ａ，１４ｂ，１４ｃで六角筒の開口部の１２０度ずつ異なる３方向部分を閉塞してから、同一方の開口側の六角形の蓋片１３ａを折り曲げ罫線１１ｉに関し内側に直角に折り曲げて（折り上げて）角筒開口を閉じ、さらに仕舞い込み片１４ｄ，１４ｅを折り曲げ罫線１１ｋ，１１ｍに関し内側に直角に折り曲げて下部傾斜側面部となる筒壁部１２ｃ，１２ｅの内面に重なるように差込むと、仕舞い込み片１４ｄ，１４ｅは、脱出防止用段部１４ｄ’，１４ｄ’、１４ｅ’，１４ｅ’が仕舞い込み片１４ａ，１４ｂ又は１４ｂ，１４ｃの下端内側に係合するので角筒開口から抜け出ない。
次に、他方の六角筒開口より被包装物を収容し、該他方の蓋片１３ｂ及び第２の仕舞い込み片１４ｄ，１４ｅについても、前記一方の蓋片１３ａ及び第２の仕舞い込み片１４ｄ，１４ｅと同様に折り曲げて角筒開口を閉じ、仕舞い込み片１４ｃを筒壁部１２ｃの内面に重なるように差込むと、仕舞い込み片１４ｄ，１４ｅは六角筒開口から抜け出ない。さらに、第２の綴じ込み片１８ｂを第２の綴じ込み片挿通スリット１８ｅに差し込むと、脱出防止用段部１８ｄ’，１８ｄ’があるので、第２の綴じ込み片１８ｂは抜けでない。
以上により、図６に示す把手付きプラスチックケースの包装体Ｋ３が出来上がる。
【００１６】
［実施形態４］
本発明の実施形態４に係る把手付き折り曲げ罫線入りプラスチックシート及びプラスチックケースを図７（ａ），（ｂ）及び図８を参照して説明する。なお、前記実施形態３とそれぞれ同一な部分については同一符号を付して説明を省き、相違点を中心に構成・作用・効果を説明する。
【００１７】
本実施形態の折り曲げ罫線入りプラスチックシートは図７（ａ）に示す形状である。該プラスチックシートＳ４は、プレスカットした図７（ｂ）に示すシートの輪郭形状Ｓ４’に、該プレスカットと同時に図７（ａ）中に示す折り曲げ罫線１１ａ〜１１ｐを付与して構成される。
図８に示すプラスチックケースＫ２は、図７（ａ）に示す把手付きプラスチックシートＳ２を折り曲げ罫線１ａ〜１ｊより折り曲げて組み立てることができる。
実施形態３との相違点は、蓋片１３ａ，１３ｂを筒壁部１２ｄではなくて筒壁部１２ａより延在していること、及び３つの筒壁部１２ｂ，１２ｄ，１２ｆの両側に仕舞い込み片１４ａ，１４ａ、１４ｂ，１４ｂ、１４ｃ，１４ｃを備えていることである。
【００１８】
次に、図８に示す把手付きプラスチックケースの包装体Ｋ４の組立て手順を説明する。
まず、実施形態１と同様に、図７（ａ）に示す把手付きプラスチックシートＳ４の折り曲げ罫線１１ａ，１１ｂ，１１ｃ，１１ｄ，１１ｅ，１１ｆより折り曲げて、筒壁部１２ａを筒壁部１２ｇの外側に重ねて上面部が二重となる六角筒とし、把持部１５ｂを把持部挿通スリット１５ａに通してから、３つの第１の綴じ込み片１８ａを３つの第１の綴じ込み片挿通スリット１８ｂに通す。
次いで、一方の角筒開口側の仕舞い込み片１４ａ，１４ｂ，１４ｃを折り曲げて角筒の開口部の３方の外周部分を閉塞してから、底面部となる筒壁部１２ｄより延在する蓋片１３ａを折り曲げ罫線１１ｇに関し内側に直角に折り曲げて（折り下げて）六角筒開口を閉じ、かつ同時に仕舞い込み片１４ｄ，１４ｅを折り曲げ罫線１ｋ，１ｍに関し内側に直角に折り曲げて上側傾斜面部となる筒壁部１２ｂ，１２ｄの内面に重なるように差込むと、仕舞い込み片１４ｄ，１４ｅは、脱出防止用段部１４ｄ’，１４ｄ’、１４ｅ’，１４ｅ’が仕舞い込み片１４ａ，１４ｂ又は１４ｂ，１４ｃの内側に係合するので角筒開口から抜け出ない。
次に、他方の六角筒開口より被包装物を収容し、該他方の蓋片１３ｂ及び仕舞い込み片１４ｄ，１４ｅについても、前記一方の蓋片１３ａ及び仕舞い込み片１４ｄ，１４ｅと同様に折り曲げて六角筒開口を閉じ、仕舞い込み片１４ｄ，１４ｅを筒壁部１２ｂ，１２ｄの内面に重なるように差込むと容易には抜け出ない。さらに、第２の綴じ込み片１８ｄをの第２の綴じ込み片挿通スリット１８ｅに通す。
以上により、図８に示す把手付きプラスチックケースの包装体Ｋ４が出来上がる。
【００１９】
以上、図面を参照して本発明の折り曲げ罫線入りプラスチックシートの実施形態を詳述してきたが、本発明は、上記の実施形態に限定されるものではなく、要旨を逸脱しない範囲の種々の設計変更を含むものである。
例えば、実施形態１のプラスチックシートＳ１について、第１の仕舞い込み片８ａと第１の仕舞い込み片挿通スリット８ｂとを一対に備えたが複数対に備えても良い。
又、実施形態１のプラスチックシートＳ１について、筒壁部２ｃの両側にも仕舞い込み片を設けかつそれを区画する折り曲げ罫線に合わせて第４の仕舞い込み片挿通スリットを設け、蓋片３ａに設けた第２の仕舞い込み片４ｃは前記第４の仕舞い込み片挿通スリットに挿入できる幅に縮めることができる。
また例えば、実施形態３のプラスチックシートＳ３について、筒壁部１２ａの左側にもう１つ筒壁部を追加して該追加した筒壁部の端縁に３つの第１の仕舞い込み片１８ａを設ることとし、他方で、第１の仕舞い込み片１８ａを差込むための第１の仕舞い込み片挿通スリット１８ｂを折り曲げ罫線１１ｆの位置から折り曲げ罫線１１ｅの位置へ移すことができ、このようにすると、前記追加した筒壁部が筒壁部１２ｆの外側に重なり、筒壁部の二重部分は２面になりケースが一層安定する。
この内容を本発明中に含ませるために、請求項１では、「両側の１面同士又は２面同士が重なり該重なる部分の一面が上面部となるＮ角形（Ｎは偶数）の筒心が横軸である角筒を形成するためＮ＋１又はＮ＋２の筒壁部を一列に並べかつ外面側に刻設した折り曲げ罫線により区画し、前記上面部として外側に重なる筒壁部側の列方向の端縁に脱出防止手段を有する第１の仕舞い込み片を備えるとともに、前記上面部として内側に重なる筒壁部側の所要位置の折り曲げ罫線に一致して開設し前記第１の仕舞い込み片を通して係合する第１の仕舞い込み片挿通スリットを備え、・・・」と記載している。
さらに例えば、実施形態３のプラスチックシートＳ３について、底面となる筒壁部１２ｄの両側の折り曲げ罫線１１ｉに対応して折り曲げ罫線１１ｉの長さの例えば半分の長さの第４の仕舞い込み片挿通スリットを設け、該第４の仕舞い込み片挿通スリットに仕舞い込み片を蓋片１３ａの第２の仕舞い込み片１４ｄ，１４ｅに挟まれる端縁に付設しても良い。
本発明のプラスチックケース用折り曲げ罫線入りプラスチックシートは、外面側に刻設した折り曲げ罫線により区画されるＮ＋１又はＮ＋２（Ｎは偶数）の筒壁部を一列に備えて、上面部と底面部を有し上面部が二重に重なっていてかつ上面部に把持部を備えた筒心が横軸であるＮ角形の角筒を形成するためプラスチックケース用折り曲げ罫線入りプラスチックシートである。実施形態は、四角形と六角形の角筒を示したが、他に例えば、八角形や十角形の角筒とする場合も含むものである。
【図面の簡単な説明】
【００２０】
【図１】本発明の実施形態１に係り、（ａ）は把手付き折り曲げ罫線入りプラスチックシートの正面図であり、（ｂ）は（ａ）のプラスチックシートの板取形状図である。
【図２】図１（ａ）のプラスチックシートを折り曲げてなる把手付きプラスチックケースの包装体を示す斜視図である。
【図３】本発明の実施形態２に係り、（ａ）は把手付き折り曲げ罫線入りプラスチックシートの正面図であり、（ｂ）は（ａ）のプラスチックシートの板取形状図である。
【図４】図３（ａ）のプラスチックシートを折り曲げてなる把手付きプラスチックケースの包装体を示す斜視図である。
【図５】本発明の実施形態３に係り、（ａ）は把手付き折り曲げ罫線入りプラスチックシートの正面図であり、（ｂ）は（ａ）のプラスチックシートの板取形状図である。
【図６】図５（ａ）のプラスチックシートを折り曲げてなる把手付きプラスチックケースの包装体を示す斜視図である。
【図７】本発明の実施形態４に係り、（ａ）は把手付き折り曲げ罫線入りプラスチックシートの正面図であり、（ｂ）は（ａ）のプラスチックシートの板取形状図である。
【図８】図７（ａ）のプラスチックシートを折り曲げてなる把手付きプラスチックケースの包装体を示す斜視図である。
【符号の説明】
【００２１】
Ｓ１，Ｓ２，Ｓ３，Ｓ４  把手付き折り曲げ罫線入りプラスチックシート
Ｋ１，Ｋ２，Ｋ３，Ｋ４  把手付きプラスチックケース
１ａ〜１ｋ  折り曲げ罫線
２ａ〜２ｅ  筒壁部
３ａ，３ｂ  蓋片
４ａ，４ｂ，４ｃ  仕舞い込み片
５ａ  把持部挿通スリット
５ｂ  把持部
５ｂ’  脱出防止用段部
８ａ  第１の綴じ込み片
８ａ’  脱出防止用段部
８ｂ  第１の綴じ込み片挿通スリット
１１ａ〜１１ｐ  折り曲げ罫線
１２ａ〜１２ｇ  筒壁部
１３ａ，１３ｂ  蓋片
１４ａ，１４ｂ，１４ｃ，１４ｄ，１４ｅ  仕舞い込み片
１５ａ  把持部挿通スリット
１５ｂ  把持部
１５ｂ’  脱出防止用段部
１８ａ  第１の綴じ込み片
１８ａ’  脱出防止用段部
１８ｂ  第１の綴じ込み片挿通スリット
【図１】
2007015746.tif 000003
【図２】
2007015746.tif 000004
【図３】
2007015746.tif 000005
【図４】
2007015746.tif 000006
【図５】
2007015746.tif 000007
【図６】
2007015746.tif 000008
【図７】
2007015746.tif 000009
【図８】
2007015746.tif 000010